(57)【要約】【課題】  安全に氷雪歩行を行うとともに、急斜面における登下降にも効果的であり、疲労の減少，滑落事故の防止に有効なアイゼンを提供する。【解決手段】前後の爪３０，３２及び４０，４２のフレーム２０に対する角度が、いずれも鈍角である１００度に設定されており、横から見たときに、前後ないし外側に開くような角度設定となっている。登攀時は、つま先から斜面１００に着地するようになり、前側の爪３０，３２から斜面１００に当たるが、爪角度が鈍角となっているため、直角方向から斜面１００に爪３０，３２が食い込むようになる。下降時は、踵から斜面１００に着地するようになり、後側の爪４０，４２から斜面１００に当たるが、爪角度が鈍角となっているため、直角方向から斜面１００に爪４０，４２が食い込むようになる。【選択図】図２
2012085824.tif 000002
【特許請求の範囲】
【請求項１】
靴の底面に装着されるフレームの前後の少なくとも一方に爪が形成されているアイゼンであって、
氷雪面と爪との角度が直角方向となるように、前記フレームに対する前記爪の角度を鈍角に設定したことを特徴とするアイゼン。
【請求項２】
靴の底面に装着されるフレームの前後の少なくとも一方に爪が形成されているアイゼンであって、
前記フレームに対する前記爪の角度を１００度としたことを特徴とするアイゼン。
【請求項３】
前記フレーム及び爪の材料として、クロム・モリブデン鋼を使用したことを特徴とする請求項１又は２記載のアイゼン。
【発明の詳細な説明】
【技術分野】
【０００１】
本発明は、雪山登山，氷瀑登攀，岩壁登攀などにおいて滑り止めとして使われる登山用具であるアイゼンの改良に関するものである。
【背景技術】
【０００２】
従来のアイゼンとしては、例えば、下記特許文献に記載のものがある。特許文献１記載のアイゼンは、使用者のウォーキングの便利性及び安全性を同時に改善するために、ウォーキングと登山の両方のための回転構造体に可動スパック要素を備えたアイゼンが開示されている。特許文献２には、フロント装着部とヒール装着部との間隔調節を簡便にして登山靴への装着を容易にするとともに、軽量かつ登山時の負荷にも充分耐えることができるようにすることを目的としたアイゼンが開示されている。
【０００３】
ところで、一般的な用途のアイゼンの爪角度は、通常フレームから９０度に設定されている。上記特許文献記載のものも、爪角度がいずれも９０度となっている。
【先行技術文献】
【特許文献】
【０００４】
【特許文献１】特開2007-330758号公報
【特許文献２】特開2004-321490号公報
【発明の概要】
【発明が解決しようとする課題】
【０００５】
ところで、アイゼンを靴に装着した状態での雪面歩行の様子を詳細にみると、通常は、片足の靴を前に出し、次に、その靴のアイゼンを雪面に着地して前進するのを常態とする。すなわち、一方の足を雪面上のすれすれに前に出して前進し、踵から着地する。このとき、従来技術のように、爪の角度が９０度であると、雪面に対して斜めから爪が当たるため、良好に雪面に食い込まず、本来の機能を発揮できない。このような観点からすると、歩行時に爪が雪面に対してできるかぎり直角方向から当たるように、アイゼンの爪の角度を設定することが望ましい。しかし、設定角度によっては、却って雪面に対する爪の角度が大きくなり、逆に使いにくくなってしまう。
【０００６】
本発明は、以上のような点に着目したもので、安全に氷雪歩行を行うとともに、急斜面における登下降にも効果的であり、疲労の減少，滑落事故の防止に有効なアイゼンを提供することを、その目的とする。
【課題を解決するための手段】
【０００７】
本発明は、靴の底面に装着されるフレームの前後の少なくとも一方に爪が形成されているアイゼンであって、氷雪面と爪との角度が直角方向となるように、前記フレームに対する前記爪の角度を鈍角に設定したことを特徴とする。他の発明は、靴の底面に装着されるフレームの前後の少なくとも一方に爪が形成されているアイゼンであって、前記フレームに対する前記爪の角度を１００度としたことを特徴とする。主要な形態の一つは、前記フレーム及び爪の材料として、クロム・モリブデン鋼を使用したことを特徴とする。本発明の前記及び他の目的，特徴，利点は、以下の詳細な説明及び添付図面から明瞭になろう。
【発明の効果】
【０００８】
本発明によれば、フレームに対する爪の角度を、鈍角である１００度としたので、爪と氷雪面との角度が直角方向に改善されるようになって、良好に氷雪面に爪が食い込むようになり、安全に氷雪歩行を行うとともに、急斜面における登下降にも効果的であり、疲労の減少，滑落事故の防止に有効である。
【図面の簡単な説明】
【０００９】
【図１】実施例１のアイゼンの構成を示す図である。
【図２】前記実施例１のアイゼンの使用状態を示す図である。
【図３】本発明にかかるアイゼンの試作例を示す図である。
【図４】本発明にかかるアイゼンの試作例を示す図である。
【発明を実施するための形態】
【００１０】
以下、本発明を実施するための形態を、実施例に基づいて詳細に説明する。
【実施例１】
【００１１】
最初に、図１〜図２を参照しながら、本発明の実施例１について説明する。本実施例は６本爪の軽アイゼンの例で、バンドの締め具合で靴のサイズに合わせるタイプの例である。図１(A)は斜視図，(B)は側面図，(C)は靴に装着した状態を示す図である。これらの図において、アイゼン１０は、略方形状のフレーム２０を中心に構成されている。フレーム２０の前側には、２本の爪３０，３２が形成されており、後側には２本の爪４０，４２が形成されており、中間にも２本の爪５０，５２が形成されている。これらは、いずれもフレーム２０の突出部を折り曲げて形成されている。
【００１２】
フレーム２０の前記爪３０，３２及び４０，４２の内側には、バンド通し用の長円の穴６０，６２，６４，６６が形成されている。バンド通し穴６０，６２には、図１(C)に示すように、バンド８０が通され、靴９０の頭部側が固定されるようになっている。他のバンド通し穴６４，６６には、バンド８２が通されており、このバンド８２と、靴９０の甲側を押えるバンド８４と、靴９０の踵側を押えるバンド８６とが、リング金具８８で連結されて、靴９０の後部側が固定されるようになっている。
【００１３】
次に、フレーム２０のバンド通し穴６０〜６６の更に内側には、前記爪と反対方向に突出した突起７０，７２，７４，７６がそれぞれ形成されている。これらの突起７０〜７６は、アイゼン１０を靴９０に対して固定したときに、靴９０の底に当たるようになり、アイゼン１０がしっかりと靴９０の底側に固定されるようになっている。なお、実際には、フレーム２０にプレート（図示せず）が設けられ、このプレートが靴９０の底面に当接するようになる。
【００１４】
ところで、本発明では、図１(B)に示すように、前後の爪３０，３２及び４０，４２のフレーム２０に対する角度が、いずれも鈍角である１００度に設定されており、横から見たときに、前後ないし外側に開くような角度設定となっている。
【００１５】
次に、図２を参照しながら、本実施例の作用を説明する。氷雪の斜面１００を登るような場合は、つま先から斜面１００に着地するようになり、図２(A)に示すように、アイゼン１０の前側の爪３０，３２から斜面１００に当たる。この場合に、爪３０，３２と斜面１００との角度ＡＦに着目すると、点線で示す従来の垂直爪３４と比較して、本発明のほうが角度ＡＦが直角方向に改善されるようになり、良好に斜面１００に爪３０，３２が食い込むようになる。
【００１６】
一方、斜面１００を下降する場合は、踵から斜面１００に着地するので、図２(Ｂ)に示すように、アイゼン１０の後側の爪４０，４２から斜面１００に当たる。この場合に、爪４０，４２と斜面１００との角度ＡＲに着目すると、点線で示す従来の垂直爪４４と比較して、本発明のほうが角度ＡＲが直角方向に改善されるようになり、良好に斜面１００に爪４０，４２が食い込むようになる。平坦な氷雪面を歩行する場合も、斜面１００を下降する場合と同様である。
【００１７】
以上のように、本実施例によれば、前後の爪と氷雪面との角度が直角方向に改善されるようになるため、良好に氷雪面に爪が食い込むようになり、登山経験の有無にかかわらず、安全に氷雪面上を歩行することができる。更に、急斜面の登下降にも有効であり、疲労の減少、滑落事故の防止にも役立つ。
【００１８】
なお、爪３０，３２及び４０，４２の角度は、鈍角であっても、角度が大きすぎると負荷も大きくなって、曲がったり、破損の原因となったりする。そこで、本実施例では、爪３０，３２及び４０，４２の角度は１００度としている。また、材料として、圧延した板状のクロム・モリブデン鋼を使用することで、爪３０，３２及び４０，４２の角度を鈍角としても十分な強度を得ることができる。図３(A)には、本実施例のアイゼン１０の試作品が示されている。
【実施例２】
【００１９】
次に、図３及び図４を参照しながら、本発明の実施例２について説明する。本発明は、６本爪の軽アイゼンのみならず、各種のタイプのアイゼンに適用可能である。図３(B)は、同じく６本爪のアイゼンであるが、フレームが足の左右に伸縮できるようにしたものである。図３(C)は、中間の爪が１つの５本爪の例である。
【００２０】
図４(A)は、８本爪のアイゼンの例で、前記実施例１と比較して中間部の爪の数が２本多い。また、前側と後側にフレームが分かれており、前後に伸縮可能となっている。図４(B)〜(D)は、それぞれ爪が１０本，１２本，１４本の出歯型の例である。出歯型の場合は、後側の爪の角度が鈍角（１００度）となっている。
【００２１】
以上のような本発明のアイゼンの試作品を用いて、氷雪面の登攀テストを行った。
（１）年月日：平成２２年１月３１日（快晴）
（２）場所：谷川連峰・白毛門山（標高１７２０ｍ）
（３）参加者：石井貞男(本件発明者)，北澤博文（発明者の友人，会社勤務）
従来の爪角度が直角のアイゼンと、本実施例の爪角度が１００度のアイゼンとをそれぞれ装着して登攀を行った。具体的には、上述した６本爪，８本爪，１０本爪の各アイゼンについて、参加者の右足側に本発明の試作品を装着し、左足側に直角の従来品を装着して雪面歩行を行った。その結果、参加者の両名とも、本発明の試作品のほうが良好であるとの結果を得た。
【００２２】
なお、本発明は、上述した実施例に限定されるものではなく、本発明の要旨を逸脱しない範囲内において種々変更を加えることができる。例えば、以下のものも含まれる。
（１）前記実施例では、バンドを利用して靴にアイゼンを装着する例を示したが、ビンディングを用いるなど、多様な固定方法が知られており、いずれの方法としてもよい。フレームの形状も同様である。
（２）前記実施例では、爪の数が５〜１４本の例を示したが、必要に応じて増減してよい。例えば、軽登山やハイキングを目的とする場合には、踵部分に取り付ける４本爪のアイゼンが従来より使用されており、これに対しても本発明は適用可能である。
（３）前記実施例では、フレームに対する爪の角度を１００度としたが、氷雪面と爪との角度が直角方向となるような角度であれば、１００度以外の鈍角としてもよい。また、フレームの前後の爪の角度は、必ずしも同一である必要はない。
【産業上の利用可能性】
【００２３】
本発明によれば、前後の爪と氷雪面との角度が直角方向に改善されるようになるため、良好に氷雪面に爪が食い込むようになり、氷雪登山に好適である。
【符号の説明】
【００２４】
１０：アイゼン
２０：フレーム
３０，３２：爪
３４：垂直爪
４０，４２：爪
４４：垂直爪
５０，５２：爪
６０，６２，６４，６６：穴
７０，７２，７４，７６：突起
８０，８２，８４，８６：バンド
８８：リング金具
９０：靴
１００：斜面
ＡＦ，ＡＲ：角度
【図１】
2012085824.tif 000003
【図２】
2012085824.tif 000004
【図３】
2012085824.tif 000005
【図４】
2012085824.tif 000006